(57)【特許請求の範囲】
【請求項１】
解除位置からセット位置まで現像剤収容容器を回転させることによって、該現像剤収容容器に配設されたロックレバーである係合部と現像剤補給装置に設けられた被係合部とが該係合部の上記回転の軸方向への移動で上記セット位置において互いに係合して該現像剤補給装置に対して係止固定される該現像剤収容容器の該現像剤補給装置からの取り外し時に、該現像剤収容容器に装着した状態で用いられる現像剤収容容器取り外し用治具であって、
当該現像剤収容容器取り外し用治具の回転軸心方向に対して傾斜する傾斜部を有し、該現像剤収容容器取り外し用治具を上記現像剤収容容器の回転軸回りに回転させることで、該傾斜部が上記係合部を移動させて該係合部と上記被係合部との係合を解除する係合解除部材と、
当該現像剤収容容器取り外し用治具を該現像剤収容容器の回転軸回りに回転させることで該現像剤収容容器を上記解除位置に回転させる、該係合解除部材と一体に構成された収容容器移動部材とを有することを特徴とする現像剤収容容器取り外し用治具。
【請求項２】
請求項１の現像剤収容容器取り外し用治具において、
上記収容容器移動部材は、上記現像剤収容容器に配設された係合部と嵌合して該現像剤収容容器を回転させるための嵌合部を有することを特徴とする現像剤収容容器取り外し用治具。
【請求項３】
請求項２の現像剤収容容器取り外し用治具において、
上記収容容器移動部材の嵌合部は、当該現像剤収容容器取り外し用治具を上記現像剤収容容器の回転軸回りに回転させることで上記係合解除部材が上記係合部と被係合部との係合を解除するまでは、該現像剤収容容器を回転させないようにするための逃げ部を有することを特徴とする現像剤収容容器取り外し用治具。
【請求項４】
請求項１、２、または、３の現像剤収容容器取り外し用治具において、
オペレータが該現像剤収容容器取り外し治具を上記現像剤収容容器に対して容易に装着することができるようにするための装着案内マークを有することを特徴とする現像剤収容容器取り外し用治具。
【請求項５】
請求項１、２、３、または、４の現像剤収容容器取り外し用治具において、
オペレータが該現像剤収容容器取り外し用治具を容易に把持して操作することができる把持部を有することを特徴とする現像剤収容容器取り外し用治具。
【発明の詳細な説明】
【０００１】
【発明の属する技術分野】
本発明は、複写機、ファクシミリ、プリンター等の現像装置に用いられる現像剤収容容器取り外し用治具係り、詳しくは、解除位置からセット位置まで回転をさせることによって、現像剤収容容器に配設された係合部と現像剤補給装置に設けられた被係合部とが上記セット位置において係合し、該現像剤補給装置に対して係止固定される該現像剤収容容器の該現像剤補給装置からの取り外し時に上記現像剤収容容器に装着した状態で用いられ、かつ、所定方向の運動を、上記係合部及び上記被係合部の少なくとも一方を移動させる運動に変換して該係合部と該被係合部との係合を解除する係合解除部材と、上記所定方向の運動を該現像剤収容容器を上記解除位置に回転させる運動に変換する収容容器移動部材とを有することを特徴とする現像剤収容容器取り外し用治具に関するものである。
【０００２】
【従来の技術】
従来より、回転軸を中心に回動する支持体を潜像担持体に対設すると共に、この支持体上に配設された複数の現像器を該潜像担持体に対向する現像位置に順次回動移動することにより、該潜像担持体上の潜像を各色現像剤にて現像するようにした回転型現像装置（以下、リボルバ現像装置と称する）が開発されている。
【０００３】
本出願人は、特願平１０―３４７５１４号公報において、上記リボルバ現像装置の回転軸を中心に公転移動され、且つ、アジテータを用いずに現像剤の供給を行うことができる筒状の現像剤収容容器を開示した。
【０００４】
この現像剤収容容器は、上記現像剤補給装置に対して係止固定される固定部と、該固定部に対して回転自在に係合され且つ容器回転駆動手段によって回転駆動されることにより該現像剤収容容器内の現像剤を開口部に向けて搬送する該現像剤収容容器と一体の案内部を有する回転部とで構成されている。
そして、この現像剤収容容器は、上記容器回転駆動手段により、上記現像剤収容容器が上記支持体に装着された状態で独自に回転駆動される。また、該現像剤収容容器の回転に伴って、該現像剤収容容器と一体の現像剤案内部により、該現像剤収容容器内の現像剤が現像剤補給装置の現像剤受入口に向けて搬送される。
【０００５】
ここで、図８（ａ）、（ｂ）は上記現像剤収容容器がリボルバ現像装置に対して解除位置にあるときの上面図と正面図である。また、図９（ａ）、（ｂ）は該現像剤収容容器がリボルバ現像装置に対してセット位置にあるときの上面図と正面図である。
上記現像剤収容容器の上記固定部の端面には、図８（ｂ）に示すように、ロックレバー４６１が配設されている。そして、図９（ｂ）に示すように、このロックレバー４６１のロックレバー先端爪部４６１ａがリボルバ現像装置４２０のケース４２１の溝部４２１ａと係合してロックされることによって、該リボルバ現像装置４２０の公転及び上記容器回転駆動手段による回転駆動によっても、該現像剤収容容器４６ｋの固定部が緩んで外れないようになっている。
このロックレバー４６１は、図９（ａ）に示すように上記現像剤収容容器４６ｋの固定部端面に配設された支持ピン４６２によって、この支持ピン４６２を中心として可動に支持されている。また、該ロックレバー４６１の後端部４６１ｂにはバネ部材４６３が配設されており、該バネ部材４６３の弾性力によって、該ロックレバー先端爪部４６１ａを、ケース４２１側（図９（ａ）において上側）に付勢するようになっている。
【０００６】
上記現像剤収容容器４６ｋを上記リボルバ現像装置４２０に装着するには、図８（ｂ）に示すように、該現像剤収容容器４６ｋを該リボルバ現像装置４２０の所定の装着部に挿入する。そして、図９（ｂ）に示すようにロックレバー４６１を時計回り方向に回転させることによって、該ロックレバー先端爪部４６１ａがケース４２１の溝部４２１ａと係合して、該現像剤収容容器４６ｋの固定部が回転しないように固定される。
また、このとき同時に、該現像剤収容容器４６ｋのリボルバ現像装置４２０内に収まった固定部外周面に形成された図示しない凸部と、リボルバ現像装置４２０の装着部に形成された図示しない凹部とが係合して、該現像剤収容容器４６ｋが長手方向に抜けないように固定される。
【０００７】
なお、上記現像剤収容容器４６ｋ内の現像剤が消費されてなくなった場合には、上述した動作と逆の動作を行うことにより、該現像剤収容容器４６ｋを取り外すことができる。
図１０（ａ）〜（ｃ）は、現像剤収容容器４６ｋを取り外す場合の説明図である。
まず、図１０（ａ）に示すようにロックレバー先端爪部４６１ａを手前側に引いて、ロックレバー先端爪部４６１ａとケース４２１の溝部４２１ａとの係合を解除する。そして、図１０（ｂ）に示すようにロックレバー先端爪部４６１ａを手前側に引いた状態でロックレバー４６１を解除位置方向に回すことによって、現像剤収容容器４６ｋが解除位置まで回転される。この解除位置でロックレバー４６１の中央部を掴んで引き抜くことによって、図１０（ｃ）に示すように現像剤収容容器４６ｋをリボルバ現像装置４２０から取り外すことができる。
【０００８】
【発明が解決しようとする課題】
しかしながら、上記現像剤収容容器を取り外す場合には、上述したように、現像剤収容容器のロック機構は、解除動作時にロックレバー先端爪部をリボルバ現像装置のケースの溝部から引き出す動作を行った後に、ロックレバーを回転させ解除位置にするという２つの動作を行う必要があり、解除時の操作性が若干煩雑であるという問題があった。
また、近年器機の設置スペースの縮小要求による器機の小型化に伴い、現像剤収容容器のロックレバーの持ち手部が小さくなっているために操作性が若干悪いという問題もある。
【０００９】
本発明は以上の問題点に鑑みなされたものであり、その目的とするところは、現像装置に用いられる現像剤収容容器のロック機構において、該現像剤収容容器交換時におけるロックの解除を１回の動作で行えるようにして操作性を向上させるとともに、器機小型化に伴う現像剤収容容器のロックレバー持ち手部縮小による操作性の悪化を改善することのできる現像剤収容容器取り外し用治具を提供するものである。
【００１０】
【課題を解決するための手段】
上記目的を達成するために、請求項１の発明は、解除位置からセット位置まで現像剤収容容器を回転させることによって、該現像剤収容容器に配設されたロックレバーである係合部と現像剤補給装置に設けられた被係合部とが該係合部の上記回転の軸方向への移動で上記セット位置において互いに係合して該現像剤補給装置に対して係止固定される該現像剤収容容器の該現像剤補給装置からの取り外し時に、該現像剤収容容器に装着した状態で用いられる現像剤収容容器取り外し用治具であって、当該現像剤収容容器取り外し用治具の回転軸心方向に対して傾斜する傾斜部を有し、該現像剤収容容器取り外し用治具を上記現像剤収容容器の回転軸回りに回転させることで、該傾斜部が上記係合部を移動させて該係合部と上記被係合部との係合を解除する係合解除部材と、当該現像剤収容容器取り外し用治具を該現像剤収容容器の回転軸回りに回転させることで該現像剤収容容器を上記解除位置に回転させる、該係合解除部材と一体に構成された収容容器移動部材とを有することを特徴とする現像剤収容容器取り外し用治具に係るものである。
【００１２】
請求項２の発明は、請求項１の現像剤収容容器取り外し用治具において、上記収容容器移動部材は、上記現像剤収容容器に配設された係合部と嵌合して該現像剤収容容器を回転させるための嵌合部を有することを特徴とするものである。
【００１３】
請求項３の発明は、請求項２の現像剤収容容器取り外し用治具において、上記収容容器移動部材の嵌合部は、当該現像剤収容容器取り外し用治具を上記現像剤収容容器の回転軸回りに回転させることで上記係合解除部材が上記係合部と被係合部との係合を解除するまでは、該現像剤収容容器を回転させないようにするための逃げ部を有することを特徴とするものである。
【００１４】
請求項４の発明は、請求項１、２、または、３の現像剤収容容器取り外し用治具において、オペレータが該現像剤収容容器取り外し治具を上記現像剤収容容器に対して容易に装着することができるようにするための装着案内マークを有することを特徴とするものである。
【００１５】
請求項５の発明は、請求項１、２、３、または、４の現像剤収容容器取り外し用治具において、オペレータが該現像剤収容容器取り外し用治具を容易に把持して操作することができる把持部を有することを特徴とするものである。
【００１６】
【発明の実施の形態】
以下、本発明を画像形成装置であるカラー電子写真プリンタ（以下、プリンタという）に適用した一実施形態について説明する。
図１は本実施形態に係るプリンタの概略構成図である。潜像担持体としての感光体ドラム１は、矢印Ａ向きに回転駆動されながら、一様帯電手段としての帯電チャージャ２により一様に帯電された後、レーザ光学装置３により画像情報に基づき走査露光されて表面に静電潜像が形成される。ここで、露光する画像情報は所望のフルカラー画像をイエロー、マゼンタ、シアン、及び黒の色情報に分解した単色の画像情報である。感光体ドラム１上に形成された静電潜像は、回転型現像装置（以下、リボルバ現像装置という）４２０により各々所定の現像剤としてのイエロー、マゼンタ、シアン、及び黒トナーで現像され、これにより、感光体ドラム１上に各色画像が形成される。
【００１７】
感光体ドラム１上に形成された各色画像は、感光体ドラム１と同期して図中矢印Ｂ向きに回転する中間転写ベルト５上に、イエロー、マゼンタ、シアン、及び黒の単色毎順次重ね転写される。この中間転写ベルト上への転写は、感光体ドラム１と中間転写ベルト５の接触状態において転写バイアスローラ５１に所定のバイアス電圧を印加することで行う。中間転写ベルト５上に重ね合わされたイエロー、マゼンタ、シアン、及び黒の画像は、両面複写兼用自動給紙カセット７あるいは手差し給紙トレイ７ａから給紙ローラ８、８ａ、レジストローラ９を経て転写部へ搬送された転写紙１０上に２次転写チャージャ１１により一括転写される。転写終了後の転写紙１０は定着装置１２によりトナー像が定着されフルカラープリントとして機外に排出される。
【００１８】
なお、中間転写ベルト５上に転写されなかった感光体ドラム１上のトナーは、感光体クリーナ１３により感光体ドラム１から除去され、また、転写紙１０上に転写されなかった中間転写ベルト５上のトナーは、図示しない中間転写ベルトクリーナにより中間転写ベルト５から除去される。
【００１９】
図２は、上記リボルバ現像装置４２０の概略構成図である。該リボルバ現像装置４２０は、感光体ドラム１に向けた開口部を有し、円周方向に互いにほぼ同型の４つの現像器４２０Ｋ、４２０Ｙ、４２０Ｍ、４２０Ｃと、該４つの現像器に補給用のトナーをそれぞれ補給するための４つのトナー補給装置４５Ｋ、４５Ｙ，４５Ｍ，４５Ｃとを有している。なお、図示の例では感光体ドラム１に対向する現像位置にあるのが黒トナーとキャリアを収容した黒現像器４２０Ｋで、図中反時計回りの順に、イエロートナーとキャリアを収容したイエロー現像器４２０Ｙ、マゼンタトナーとキャリアを収容したマゼンタ現像器４２０Ｍ、シアントナーとキャリアを収容したシアン現像器４２０Ｃになっている。
【００２０】
ここで、４つの現像器４２０Ｋ、４２０Ｙ、４２０Ｍ、４２０Ｃの内部構造はまったく同様であるので、以下、現像位置にある黒現像器４２０Ｋを例にとって内部構造を説明し、他の現像器の内部構造については対応する部材の符号として、黒現像器における符号と同じ数字にイエロー、マゼンタ、シアンの各現像器を区別するためＹ、Ｍ、Ｃの添字を付した符号を図中に示し、説明を省略する。
【００２１】
上記現像器４２０Ｋは、現像剤担持体としての現像ローラ４１Ｋと、該ケーシング部内に収容される黒トナー及びキャリアからなる二成分現像剤（以下、現像剤という）を撹拌する第１、第２撹拌スクリュウ４２Ｋ、４３Ｋとを備えている。
【００２２】
以上の構成のリボルバ現像装置４２０は、矢印Ｂ方向の回転により、各現像器を順次感光体ドラム１に対向する現像位置に移動させて、該感光体ドラム１上の静電潜像を可視像化する。
【００２３】
現像器４２０Ｋ内の現像剤のうち、トナーは現像の度に消費されていく。そして、該トナー濃度の低下が図示しないトナー濃度センサにより検知された場合には、トナー補給装置４５Ｋの現像剤収容容器としてのトナーボトル４６Ｋからトナーが現像器内へ供給される。このことにより、トナー濃度が所定の濃度に保たれて、画像濃度が一定に保たれる。
【００２４】
上記リボルバ現像装置４２０は、プリンタ装置本体１００からスライドによって引き出し可能なユニット支持体２００に支持されている。このユニット支持体２００について、図３、図４を用いて説明する。図３は、該ユニット支持体２００の斜視図である。また、図４は、該ユニット支持体２００の正面図である。なお、図４は、リボルバ現像装置の黒現像器４２０Ｋが現像位置にあるときの該ユニット支持体２００の正面図である。また、黒現像器への補給用トナーを収容するトナーボトル４６Ｋ以外のトナーボトルについては図示を省略した。図示の例においては該ユニット支持体２００は、感光体ドラム１を備えた感光体ユニット３００の支持体としても機能し、該感光体ユニット３００は、図３中矢印Ｃで示すようにユニット支持体２００に搭載される。
【００２５】
上記ユニット支持体２００は、前側板２０１と、後側板２０２と、左右及び中央部の上下の計４つのステー部材とを有している。該ユニット支持体２００においてリボルバ現像装置４が装着される装着部の下方には、撓ますことにより簡単に着脱できるように構成されたトナー受け２０３が設けられている。このような簡単な着脱を可能とするには、該トナー受けを例えばＰＥＴ等の可撓性の材料で構成すればよい。該ユニット支持体２００の両サイド部は、アキュライドスライドレール２０４が取り付けられており（図４参照）、これにより該ユニット支持体２００の装置本体手前側へのスライド移動を可能にしている。上述の現像器４２０Ｋは、該ユニット支持体２００に支持されているリボルバ現像装置４２０に脱着可能に支持機構に取り付けられている。具体的には、リボルバ現像装置４２０には、図３中矢印Ｄで示すように上記現像器４２０Ｋが搭載される。そして、このユニット支持体２００では、図３に示すように上記リボルバ現像装置４２０を支持した状態で該ユニット支持体２００を装置手前側に引き出し、この状態でリボルバ現像装置４２０の現像器４２０Ｋが露出状態となるように、該現像器の全長以上のスライド引き出しが可能な構成を採用している。具体的には、上記アキュライドスライドレール２０４として、レールの収納時の長さが５００mmで、スライド量は６５０mmになる２段アキュライドが採用されている。
【００２６】
トナーカートリッジ４６ｋを交換する場合には、図３に示すように、ユニット支持体２００の前側板２０１に穿たれたトナーカートリッジ着脱用の開口２０１ａを通して行う。
【００２７】
次に、本発明に係るトナーカートリッジの取り外し用治具について説明する。図５（ａ）は取り外し用治具５００の上面図、図５（ｂ）は正面図、図５（ｃ）は背面図である。また、図６はトナーカートリッジ４６ｋを取り外すときに、取り外し用治具５００をトナーカートリッジ４６ｋに対して装着するときの斜視図である。
トナーカートリッジの取り外し用治具５００は、先端操作部５１０と把持部５２０とから主に構成されている。先端操作部５１０と把持部５２０とは、例えばＡＢＳ樹脂を射出成型機によって、一体成形したものである。
【００２８】
取り外し用治具５００の先端操作部５１０は、図６に示すようにトナーカートリッジ４６ｋ端面の２箇所の凹部４６０ａ、４６０ｂに挿入される円弧状の左右２箇所の先端ガイド部５１１ａ、５１１ｂと、トナーカートリッジ端面に当接して取り外し用治具の挿入代を制限するフランジ状の左右２箇所のストッパ部５１２ａ、５１２ｂと、ロックレバー４６１を引き上げてロックを解除するために右側のストッパ部５１２ａに設けられた傾斜部５１３と、ロックレバー４６１の側面と当接してロックレバー４６１を回転させるために先端操作部５１０の内側に設けられた左右２箇所の当接部５１４ａ、５１４ｂ（図５（ｂ）参照）とを備えた形状をしている。
また、図５（ｃ）に示すように、２箇所の当接部５１４ａ、５１４ｂと図中一点鎖線とで囲まれた部分から形成される逃げスペース５１６ａ、５１６ｂを備えている。
【００２９】
なお、上記傾斜部５１３は、ストッパ部５１２ａのフランジ面から後側（図５（ａ）中下側）に向かう傾斜面５１３ａを有しており、取り外し用治具５００を回転させたときに、ロックレバー４６１の内側に入り込み、ロックレバー先端爪部４６１ａを押し上げてケース４２１の溝部４２１ａとの係合によるロックを完全に解除できるようになっている（図６参照）。より具体的には、傾斜部５１３の回転方向長さ７ｍｍで５ｍｍ押し上げるような傾斜である。
【００３０】
また、把持部５２０は、図５（ａ）、（ｂ）に示すように、オペレータが手のひらにすっぽりとおおえる円筒状の持ち手形状を有し、現像剤収容容器に対して容易に装着できるための装着案内マークとして矢印５２１と、すべり止め用の５箇所の凸部５２２とが形成されている。
【００３１】
次に、上記取り外し用治具５００によって、トナーカートリッジ４６ｋを取り外す動作について説明する。
上記図９（ａ）、（ｂ）によって説明したように、トナーカートリッジ４６ｋがリボルバ現像装置４２０にセットされた状態では、トナーカートリッジ４６ｋのロックレバー先端爪部４６１ａがバネ部材４６３の弾性力によりケース４２１に設けられた溝部４２１ａに係合してロックされている。このトナーカートリッジ４６ｋをロックされた状態から解除状態にするためには、ロックレバー先端爪部４６１ａを手前に引き出し、その後反時計回りに回転させて解除位置に回す必要がある。
【００３２】
図７（ａ）は取り外し用治具５００をトナーカートリッジ４６ｋに装着した状態の上面図、図７（ｂ）は取り外し用治具５００の正面から見た図、図７（ｃ）は取り外し用治具５００を所定角度反時計回り方向Ｆに回転させたときの正面から見た図である。
オペレーターは図６に示すようにトナーカートリッジの取り外し用治具５００の把持部５２０を手で掴んで、装着案内マークである矢印５２１の先端部とロックレバー４６１の長手方向の中心とがおおよそ一致するように、先端ガイド部５１１ａ、５１１ｂをトナーカートリッジ端面の凹部４６０ａ、４６０ｂに挿入する。
そして、フランジ状のストッパ部５１２ａ、５１２ｂがトナーカートリッジ端面に当接したら、図７（ｂ）に示すように取り外し用治具５００を反時計回り方向Ｆに回転させる。所定角度回転させると傾斜部５１３がロックレバー４６１の内側に入り込み、傾斜部５１３の傾斜面５１３ａによってロックレバー４６１を押し上げる（図９（ａ）の点線で示した状態）ので、ロックレバー先端爪部４６１ａとケース４２１の溝部４２１ａとの係合が解除されて、ロックが解除される。なお、この状態においては、取り外し用治具５００に逃げスペース５１６ａ、５１６ｂが設けられているので、傾斜部５１３がロックレバー４６１を押し上げてロックを解除するのみで、トナーカートリッジ４６ｋ自体を回転させることはない。
ロックを解除すると同時に図７（ｃ）に示すように取り外し用治具５００の左右の当接部５１４ａ、５１４ｂが、それぞれロックレバー４６１の側面に当接する。さらに取り外し用治具５００を反時計回り方向に回転させると、図８（ｂ）に示すように、傾斜部５１３がロックレバー４６１を押し上げたままの状態でトナーカートリッジ４６ｋを解除位置まで回転させることができる。
【００３３】
トナーカートリッジ４６ｋが解除位置まで回転したら、傾斜部５１３とロックレバー４６１とが外れる位置まで取り外し用治具５００を時計回り方向に逆回転させて、取り外し用治具５００をトナーカートリッジ４６ｋから取り外す。そして、トナーカートリッジ４６ｋのロックレバー４６１の中央部を直接把持して引き抜くことによって、トナーカートリッジ４６ｋをリボルバ現像装置４２０から取り外すことができる。
あるいは、取り外し用治具５００を回転させてトナーカートリッジ４６ｋが解除位置まで回転したら、そのまま取り外し用治具５００を手前側に引き抜くことによって、傾斜部５１３がロックレバー４６１を引っ張ることになるので、同時にトナーカートリッジ４６ｋをリボルバ現像装置４２０から取り外すこともできる。
【００３４】
本発明に係る取り外し用治具５００はトナーカートリッジ４６ｋを取り外すときに特に有効であるが、トナーカートリッジ４６ｋを装着するときにも使用することができる。
即ち、トナーカートリッジ４６ｋを、図２に示すリボルバ現像装置４２０のトナーカートリッジガイド５１ｋに挿入した後、取り外し用治具５００をトナーカートリッジ４６ｋに装着して、時計回りに回転させることによって、トナーカートリッジ４６ｋが解除位置からセット位置に回転し、ロックレバー先端爪部４６１ａは溝部４２１ａに自動的に係合し、ロック状態となる。
【００３５】
【発明の効果】
請求項１乃至５の発明によれば、現像剤収容容器取り外し用治具を現像剤収容容器の回転軸回りに回転させるのみで現像剤収容容器の係合部と現像剤補給装置の被係合部との係合を解除し、かつ、上記現像剤収容容器を上記解除位置に回転させることができるので、操作性を向上させることができるという優れた効果がある。
【００３７】
特に、請求項２の発明によれば、上記現像剤収容容器取り外し用治具は、上記係合部と嵌合して該現像剤収容容器を回転させるための嵌合部を有しているので、上記係合解除部材で上記係合部と被係合部との係合が解除された状態であれば、該現像剤収容容器を上記セット位置から解除位置まで回転させて、取り外すことが可能になるという優れた効果がある。
【００３８】
特に、請求項３の発明によれば、上記現像剤収容容器取り外し用治具は上記逃げ部を有しているので、上記現像剤収容容器がセット位置にある状態で、該現像剤収容容器交換用治具を現像剤収容容器の回転軸回りに回転させても、該現像剤収容容器を回転させることなく、上記係合部と被係合部との係合を解除することができるという優れた効果がある。
【００３９】
特に、請求項４の発明によれば、上記現像剤収容容器取り外し用治具には装着案内マークが設けられているので、オペレータは該装着案内マークを目安に操作することによって、該現像剤収容容器取り外し用治具を上記現像剤収容容器に対して容易に装着することができ、操作性を向上させることができるという優れた効果がある。
【００４０】
特に、請求項５の発明によれば、上記現像剤収容容器取り外し用治具には、オペレータが手にもって操作することのできる把持部が設けられているので、器機の小型化に伴う現像剤収容容器の取り外し時の操作性の悪化を改善することができるという優れた効果がある。
【図面の簡単な説明】
【図１】実施形態に係るプリンタの概略構成を示す正面図。
【図２】上記プリンタのリボルバ現像装置４２０の概略構成図。
【図３】上記プリンタのユニット支持体２００の斜視図。
【図４】上記ユニット支持体２００の正面図。
【図５】（ａ）は取り外し用治具の上面図。（ｂ）は取り外し用治具の正面図。（ｃ）は取り外し用治具の背面図。
【図６】取り外し用治具をトナーカートリッジにセットするときの斜視図。
【図７】（ａ）は取り外し用治具をトナーカートリッジにセットしたときの上面図。（ｂ）は取り外し用治具をトナーカートリッジにセットしたときの取り外し用治具の正面図。（ｃ）は取り外し用治具を所定角度回転したときの正面図。
【図８】（ａ）はトナーカートリッジがリボルバ現像装置の解除位置にあるときの上面図。（ｂ）はトナーカートリッジがリボルバ現像装置の解除位置にあるときの正面図。
【図９】（ａ）はトナーカートリッジがリボルバ現像装置のセット位置にあるときの上面図。（ｂ）はトナーカートリッジがリボルバ現像装置のセット位置にあるときの正面図。
【図１０】（ａ）〜（ｃ）はトナーカートリッジをリボルバ現像装置から取り外すときの説明図。
【符号の説明】
１        感光体ドラム
２        帯電チャージャ
３        レーザ光学装置
５        中間転写ベルト
８、８ａ  給紙ローラ
９        レジストローラ
１０      転写紙
１１      ２次転写チャージャ
１２      定着装置
１３      感光体クリーナ
２０１ａ  トナーカートリッジ着脱用の開口
４１Ｋ、４１Ｙ、４１Ｍ、４１Ｃ  現像ローラ
４５Ｋ、４５Ｙ，４５Ｍ，４５Ｃ  トナー補給装置
４６Ａ    トナーカートリッジの回転容器部
４６Ｂ    トナーカートリッジの固定容器部
４６Ｋ、４６Ｙ，４６Ｍ，４６Ｃ  トナーカートリッジ
５１Ｋ、５１Ｙ、５１Ｍ、５１Ｃ  トナーカートリッジガイド
４２０    リボルバ現像装置
４２０Ｋ  ブラック現像器
４２０Ｃ  シアン現像器
４２０Ｍ  マゼンタ現像器
４２０Ｙ  イエロー現像器
４２１ａ  ケース溝部
４６１    ロックレバー
４６１ａ  ロックレバー先端爪部
４６３    バネ部材
５００    トナーカートリッジの取り外し用治具
５１０    先端操作部
５１３    傾斜部
５１３ａ  傾斜面
５１４ａ、５１４ｂ    当接部
５１６ａ、５１６ｂ    逃げスペース部
５２０    把持部
５２１    装着案内マーク用の矢印
【図１】
0004038302.tif 000002
【図２】
0004038302.tif 000003
【図３】
0004038302.tif 000004
【図４】
0004038302.tif 000005
【図５】
0004038302.tif 000006
【図６】
0004038302.tif 000007
【図７】
0004038302.tif 000008
【図８】
0004038302.tif 000009
【図９】
0004038302.tif 000010
【図１０】
0004038302.tif 000011